(57)【要約】【課題】制御機器の端子台における暗所・狭所の配線作業の効率化を図る。【解決手段】  制御機器において、配線作業モードへ移行するため端子台近傍に設けたスイッチを長押すステップと、  第一の端子対応LEDを点灯するステップと、前記スイッチが短く押された場合に、または、第一の端子に入出力線が接続された場合に、  第二の端子対応LEDを点灯するステップと、を備える配線作業確認方法である。端子入力のステータス表示用のLEDを配線作業のための照明として利用する配線作業モードを設けた制御機器における配線作業確認方法である。【選択図】  図１
2015230637.tif 000002
【特許請求の範囲】
【請求項１】
制御機器における配線作業確認方法であって、
前記制御機器の端子台近傍に設けたスイッチが長押されたことを検知するステップと、
そのとき前記制御機器が運転モードであったならば配線作業モードへ移行すると共に、
所定の端子対応LEDを点灯させるステップと、
を備える制御機器における配線作業確認方法。
【請求項２】
請求項1の制御機器における配線作業確認方法において、
前記制御機器が配線作業モードであった場合に、
前記スイッチが短押されたことを検知するステップと、
そのとき前記端子対応ＬＥＤを端子番号にしたがって順次点灯させるステップと、
を備える制御機器における配線作業確認方法。
【請求項３】
請求項1または請求項２の制御機器における配線作業確認方法において、
当該制御機器がその端子入力部に結線された外部入力または外部負荷のインピーダンスをセンスする回路を備えるタイプの制御機器である場合に、かつ、
前記制御機器が前記配線作業モードであった場合に、
当該端子に入出力線が接続されたかをチェックするステップと、
そのとき前記端子対応ＬＥＤを端子番号にしたがって順次点灯させるステップと、
を備える制御機器における配線作業確認方法。
【発明の詳細な説明】
【技術分野】
【０００１】
本発明は、コントローラ、入出力モジュールその他の制御機器の入出力端子の配線作業にかかる発明である。
【背景技術】
【０００２】
現場に設置される入出力モジュールなどの電子機器において、入出力信号の状態表示を行う場合、従来では前記電子機器の表面部に状態表示灯が取り付けられ、該表示灯の点灯状態により表示が行われていた。前記表示灯は、機器表面部を覆うカバーに直接固定され、あるいは、表示素子のリード線部をプリント配線板に取り付け、その頭部点灯部のみを機器のカバーに設けられた穴より露出させるよう構成されていた。
【０００３】
近年では、機器の小型化の趨勢により、表示灯設置を省スペースとする発明がなされている。特許文献1の発明では、端子台の端子固定用雄ネジの軸方向に穿孔された穴に光ガイドを嵌合すること、この光ガイド付きネジ端子台のネジ穴下部に光透過性の良い半固形ジェルを充填すること、この光ガイド付きネジ端子台を表面実装型ＬＥＤと組み合わせてプリント配線板に実装すること、などの方法で目的を達成する。
【０００４】
また一方、入力表示灯または出力表示灯のいずれかが点灯したとき、どの端子に接続された配線に入出力信号が到来したかを直ちに判別可能にする課題を解決するように、特許文献2にある発明では、外部配線を結線するための端子を複数配列してなる端子台と、端子台を構成する各端子を識別するためのシンボルを、端子台上の端子配列に整合するように、端子台に隣接して配列してなる端子シンボル列と、端子台部を構成する各端子の信号状態に応じてそれぞれ点消灯する複数の表示灯を配列してなる表示灯列とを有し、かつ端子シンボル列を構成する個々の端子シンボルと表示灯列を構成する個々の表示灯とは、対応するもの同士において、位置的に重なるように配置されている。
【０００５】
以上のとおり、先行技術文献にある発明では、省スペース、また視認性を高める数々の工夫がなされており、制御機器の端子台にかかる作業はある程度は効率化が図られている。
【先行技術文献】
【特許文献】
【０００６】
【特許文献１】特開平１１−３２９５４０号公報
【特許文献２】特開２００６−３０９７２７号公報
【発明の概要】
【発明が解決しようとする課題】
【０００７】
しかし、そのような表示灯であるLEDの配置構成に工夫が図られていたとしても、依然として、機器の配線作業には改善すべきところがある。配線作業は十分な照明のない（暗所）での作業が多く、懐中電灯などの明かりをもとに行われることが多い。また制御盤のような作業スペースは限られており（狭所）、懐中電灯の明かりは手、工具、配線材で遮られてしまい、明かりが端子に届かない場合もあり、作業効率を損なっている。
【０００８】
また、近年の機器の小型化のために、端子台自体も小型になっており、ますます作業環境は悪化しているといえる。
【０００９】
このように制御機器の配線作業は暗所・狭所の過酷な環境にあるので、この作業効率を改善することを本願発明が解決すべき課題とする。
【課題を解決するための手段】
【００１０】
本願発明は、制御機器における配線作業確認方法であって、
前記制御機器の端子台近傍に設けたスイッチが長押されたことを検知するステップと、
そのとき前記制御機器が運転モードであったならば配線作業モードへ移行するステップと、
所定の端子対応LEDを点灯させるステップと、
を備える制御機器における配線作業確認方法である。
通常の運転モードではステータス表示に用いるＬＥＤ点灯を配線作業で照明として作業に役立てる。
【００１１】
また、この制御機器における配線作業確認方法において、
前記制御機器が配線作業モードであった場合に、
前記スイッチが短押されたことを検知するステップと、
そのとき前記端子対応ＬＥＤを端子番号にしたがって順次点灯させるステップと、
を備える制御機器における配線作業確認方法でもある。
手動で端子対応ＬＥＤを順次点灯させることで次の配線にかかる端子をガイドするものである。
【００１２】
さらに、制御機器における配線作業確認方法において、
当該制御機器がその端子入力部に結線された外部入力または外部負荷のインピーダンスをセンスする回路を備えるタイプの制御機器である場合に、かつ、
前記制御機器が配線作業モードであった場合に、
当該端子に入出力線が接続されたかをチェックするステップと、
そのとき前記端子対応ＬＥＤを端子番号にしたがって順次点灯させるステップと、
を備える制御機器における配線作業確認方法でもよい。
入力結線がされたかを検知して、自動的に次の配線にかかる端子をガイドするものである。
【発明の効果】
【００１３】
本願発明により、暗所・狭所の過酷な環境にある制御機器の配線作業を改善することで、配線ミスを防ぎ、作業者の苦役からの解放を図ることができる。
【図面の簡単な説明】
【００１４】
【図１】入出力モジュールの外観（正面・側面）図と、内部回路構成を示す。
【図２】本願発明の実施の一態様である配線作業確認方法のフローである。
【図３】本願発明の実施の実施例であるディジタル出力モジュール（A）とアナログ入力モジュール（Ｂ）における結線例を示す。
【発明を実施するための形態】
【００１５】
本願発明にかかる制御機器の例として、入出力モジュールの一例を図１に示す。入出力モジュールの端子台表面(左)図と、側面(右)図の二面図で外観を示し、その側面図において、内部を透視する形で内部構成を示してある。
なお、入出力モジュールとは、上位のコントローラなどに接続されて、適宜必要な入出力点数に応じて、複数接続されて制御のための入出力を実行するモジュールである。
【００１６】
図1では、入出力モジュールとしてディジタル出力モジュール１を例にとる。入出力端子T１〜１０およびＴ１１〜２０が備えられているが、実際のディジタル出力はＤＯ１〜８およびＤＯ９〜１６の１６点が用いられる。そして、各端子に隣合せて、小型矩形の表示灯であるＬＥＤであるＬ１〜１０およびＬ１１〜２０が対応配置されている。また、端子台中央部にはスイッチＳＷＴが備えられる。これは通常運転中に触られないように、小型で、凹みタイプのスイッチが望ましい。
【００１７】
本ディジタル出力モジュール１の内部構成を右側の側面図にあわせて示す。端子との信号を処理する入出力部１０、ＣＰＵなどにより実行される処理部２０、およびコントローラ（図外）への信号送受を行う通信部３０がある。複数の入出力モジュールは連装されて通信部はバス構成をとることも多い。背面側はＤＩＮレールなどに装着される。
【００１８】
そして、入出力部１０からの処理部２０への信号はＩｎ矢印１１であり、ここにはスイッチＳＷＴの接点信号も含まれる。処理部２０から入出力部１０への信号はＯｕｔ矢印２１であり、本ディジタル出力モジュール１では、ディジタル出力信号が渡される。ＬＥＤ表示オンオフ信号もここに含まれる。処理部２０には通信部３０から上位から設定されたディジタル出力値が渡される。
【００１９】
次に、本願発明では、図２に示すように、入出力モジュールで実行される配線作業確認のための処理が処理部２０で執り行われるので、以下にそれを説明する。
【００２０】
まず、ディジタル出力モジュール１は動作モードとして、運転モードと配線作業モードの二つを少なくとも有する。運転モードとは通常の運転状態での動作モードであり、ディジタル出力を行うものである。その時には、ＬＥＤ群（Ｌ１〜１０およびＬ１１〜２０）は当該ディジタル出力のステータス表示となる。一方、配線作業モードとは本願発明におけるモードであり、以降に述べるものである。
【００２１】
処理部２０は定周期に実行サイクルを繰り返すもので、その定周期ＳｔａｒｔステップＳ０（以降、図２中の添字Ｓｎで示す）から本願発明にかかる機能を実行する。
まず、スイッチＳＷＴが長押されたかどうかをチェックする（ステップＳ１０）。一瞬触れたような場合は無視するために数秒以上の長押で判断する。
【００２２】
ステップＳ１０の結果、長押であったならモード切替（ステップＳ１１）へ移行する。そうでない場合はステップＳ２０へ移行する。モード切替は運転または配線作業モードへ選択的に変化する。運転モードになったならば（ステップＳ１２）、この処理を抜けるために定周期Ｅｎｄとなる。配線作業モードになったならば（ステップＳ１３）、全ＬＥＤを点灯する（ステップＳ１４）。省エネルギーの観点から一定時間経過したら消す、または間欠点灯にしてもよい。その後、定周期Ｅｎｄとなり、ひとまずこのフローを抜ける。
【００２３】
以降の処理は、配線作業モード特有であるので、モードをチェックし（ステップＳ２０），運転モードであったなら本定周期Ｅｎｄとなる。一方、配線作業モードであれば、ステップＳ３０へ進む。
【００２４】
そしてスイッチＳＷＴの短押チェックを実行する（ステップＳ３０）。手動ワンショットのスイッチ動作で検出する。これがＹｅｓであったなら、順次ＬＥＤ点灯（ステップＳ３１）を実行する。もし全ＬＥＤ点灯（ステップＳ１４）の直後であったら、第一端子に対応するＬＥＤのＬ１を点灯する。以後Ｌ１の次はＬ２、と順次繰り下がり、Ｌ８の次はＬ１１へスキップするなどは設計上の事項として当該ディジタル出力モジュール１で設計される。このように順次ＬＥＤ点灯（Ｓ３１）を実行した後は、定周期Ｅｎｄとなる。
一方、ＳＷＴ短押チェック結果（ステップＳ３０）ＮｏであったらステップＳ４０へ行く。
【００２５】
ステップＳ４０以降はオプション的な機能であり、入出力モジュールのタイプによって、その入力部１０および処理部２０で実装されていないこともある。なお、ディジタル出力モジュール１は基本的には入出力結線の外部センス機能は行わないので、このようなモジュールでは、結線検知可能の判断（ステップＳ４０）は不可能となり、定周期Ｅｎｄとなる。
【００２６】
結線検知可能の判断（ステップＳ４０）で可能なタイプのモジュールでは、次の動作を実行する。実際に結線された信号を読み取り結線チェックを行う（ステップＳ４１）。
主に入力型のモジュールで備えられる回路を利用でき、外部入力または外部負荷のインピーダンスをセンスするのである。その場合、結線されたと検知した場合には、順次ＬＥＤ点灯（ステップＳ３１）を自動的に実行する。そうでなく、まだ結線がされていない（無結線）と判断した場合には、定周期Ｅｎｄ（Ｓ９０）となり、結線されるのを待つ。もちろん並行してＳＷＴ短押（Ｓ３０）があればそれを優先することになる。
【実施例】
【００２７】
次に、本願発明の実施の実施例であるディジタル出力モジュール（A）とアナログ入力モジュール（Ｂ）における結線例を図３に示す。
【００２８】
（１）  ディジタル出力モジュール（図３Ａ）
いままで述べてきたディジタル出力モジュール１の結線例を示す。各ディジタル出力端子に負荷がそれぞれコモンから電源を介して接続される。ＬＥＤは各端子に対応して１対１で備えられる。これが、上記機能での順次ＬＥＤ点灯に資するのである。
なお、本回路では、結線状態のセンス機能は設けていないが、もしも冗長的な回路をとり、各端子から負荷のインピーダンスをパラレルに取り込んでセンスできれば、結線検知可能に応用はできるだろう。逆に、ディジタル入力モジュールの場合は、オープン状態と無結線状態の区別ができないことがある。
【００２９】
（２）  アナログ入力モジュール(図３Ｂ)
ここでは、３端子入力型のアナログ入力モジュールの例を示す。電圧入力、電流入力、および３線式測温抵抗体の入力が可能である。したがって、３端子に集約されてＬＥＤは点灯消灯するものであり、そのような設計は本アナログ入力モジュールで実装される。
そして、順次ＬＥＤ点灯は３端子単位で推移し、外部入力値を読むことで結線検知も可能なモジュールのタイプである。
【産業上の利用可能性】
【００３０】
本願発明は、ディジタル出力モジュール１を主実施例としてあげたが、この他にもリレー入力・出力、積算パルス入力、モーター出力モジュールなど多くの入出力モジュールでも利用できる。また、入出力モジュールに限らず制御機器全般で端子台の配線作業があるものならば本願発明の利用ができる。コントローラ、特にPLCなどで直接入出力を備える制御用の機器、またそれが本体と離れた分離型構造でも、端子台における配線作業で共通であるからである。
【符号の説明】
【００３１】
１  ディジタル出力モジュール
１０  入出力部、  １１  Ｉｎ信号
２０  処理部、    ２１  Ｏｕｔ信号
３０  通信部
Ｔ１〜２０  端子
Ｌ１〜２０  ＬＥＤ
ＳＷＴ  スイッチ
【図１】
2015230637.tif 000003
【図２】
2015230637.tif 000004
【図３】
2015230637.tif 000005